(57)【要約】【課題】クレーン作業におけるメンテナンスを効率的に行えるようにした作業車両を提供する。【解決手段】所定の作業を行う作業装置作業装置に関する装置情報を検出し、この装置情報が所定の作業に応じた動作が行われるように行う管理作業を行っている管理作業状態にあるか否かを判断する。管理作業状態にあると判断されるとき、エンジン停止条件が成立したとしてもエンジンの停止を制限する。【選択図】図２
2017082734.tif 000002
【特許請求の範囲】
【請求項１】
所定の作業を行う作業装置と、
所定のエンジン停止条件に基づいてエンジンを停止するエンジン停止手段と、
前記作業装置に関する装置情報を検出する検出手段と、
前記検出手段によって検出した装置情報を用いて、前記作業装置が前記所定の作業を行う際に該所定の作業に応じた動作が行われるように管理作業を行っている管理作業状態にあるか否かを判断する判断手段と、
前記判断手段によって前記管理作業状態にあると判断されるとき、前記エンジン停止条件が成立したとしても前記エンジン停止手段による前記エンジンの停止を制限するエンジン停止制限手段と
を具備する作業車両。
【請求項２】
前記作業装置は、
自作業車両を支持するアウトリガと、
起伏可能に設けられ、伸縮するブームと
をさらに具備し、
前記検出手段は、
前記アウトリガが自作業車両を支持しているときのアウトリガ張出量、前記ブームのブーム長のうち少なくともいずれか一方の長さを検出し、
前記管理作業状態は、
前記検出手段によって検出した少なくとも一方の長さと、該長さに対する前記アウトリガの実張出量及び／又は前記ブームの実長とを調整する管理作業を行っている状態であって、
前記エンジン停止制限手段は、
前記所定の作業を行う際の前記アウトリガの張出状態、前記ブームの状態のうち、少なくとも一方を調整している状態にあると前記判断手段によって判断されるとき、前記エンジン停止条件の成立に基づく前記エンジンの停止を制限する
ことを特徴とする請求項１に記載の作業車両。
【発明の詳細な説明】
【技術分野】
【０００１】
本発明は、作業車両に関するものである。
【背景技術】
【０００２】
移動式クレーン等の作業機械は、一般的に、所定の作業を行う作業装置と、その作業装置を駆動させる動力源であるエンジンとを備えている。作業装置は、ブーム、シングルトップ、ジブ等によって構成されており、これらが単独で又は連携して動作することでクレーン作業が行われる。
【０００３】
このクレーン作業では、例えば、クレーン作業に用いられる荷の荷重や移動範囲に応じて、アウトリガの張り出し、旋回台を所定の角度で旋回させ、ブームを所定の角度で起伏させて所定の長さまで伸縮させる。このようなクレーン作業を、より安全に作業するために、また、作業者の意図する内容でクレーン作業ができるようにするために、適宜、適切なメンテナンスを行っている。
【０００４】
このときのメンテナンスは、一般的に、各作業装置が意図する動作が行われるかを確認する作業や、クレーン作業に用いられる消耗部材の補充等を行う作業である。このようなメンテナンスは、上記に示すように、安全性の観点、作業効率の観点からとても重要なものである。
【０００５】
特許文献１では、この重要なメンテナンスの作業時期をクレーン作業の作業状態に応じて容易に判断できるようにしたものを開示している。
【０００６】
このようなメンテナンス作業は、クレーン作業における各作業装置それぞれに対して詳細に行うものであり、クレーン作業をより安全に行うため慎重に行う必要がある。そればかりか、メンテナンス作業は、各作業装置が意図する動作が行われるかを確認するものであるから、クレーン作業と同様の操作が行われることがある。
【０００７】
また、移動式クレーン等の作業機械には、一般的に、一定時間継続して所定の操作が行われないなどの条件が成立することによって、アイドリング状態にあるエンジンを停止するアイドリングストップ機能が搭載されている。
【先行技術文献】
【特許文献】
【０００８】
【特許文献１】特開２０１３−０７６４４４号公報
【発明の概要】
【発明が解決しようとする課題】
【０００９】
このアイドリングストップ機能によりエンジンが停止してしまうと、作業装置の状態がエンジン停止前後で変更されてしまうことがある。少なくとも、エンジンが停止するため、当然にエンジンの回転数は変更されることとなる。
【００１０】
上記に示すようなメンテナンス作業中に、アイドリングストップ機能によりエンジンが停止してしまうと、メンテナンス作業により確認が必要な事項がエンジンの停止前後で変更されてしまうことがあり、また、場合によってはメンテナンス作業そのものができない場合がある。
【００１１】
そこで、本発明は、クレーン作業におけるメンテナンスを効率的に行えるようにした作業車両を提供することを目的とする。
【課題を解決するための手段】
【００１２】
上記目的を達成するため、本発明は、所定の作業を行う作業装置と、所定のエンジン停止条件に基づいてエンジンを停止するエンジン停止手段と、前記作業装置に関する装置情報を検出する検出手段と、前記検出手段によって検出した装置情報を用いて、前記作業装置が前記所定の作業を行う際に該所定の作業に応じた動作が行われるように管理作業を行っている管理作業状態にあるか否かを判断する判断手段と、前記判断手段によって前記管理作業状態にあると判断されるとき、前記エンジン停止条件が成立したとしても前記エンジン停止手段による前記エンジンの停止を制限するエンジン停止制限手段とを具備する。
【図面の簡単な説明】
【００１３】
【図１】本発明の実施の形態における移動式クレーンを示す図。
【図２】本発明の実施の形態における移動式クレーンが備える装置の一例を示すブロック図。
【図３】本発明の実施の形態における移動式クレーンのディスプレイにおいて表示される画面を示す図。
【図４】本発明の実施の形態における移動式クレーンを構成するコントローラで行われるアイドリングストップ制御処理を示すフローチャート。
【図５】本発明の実施の形態における移動式クレーンを構成するコントローラで行われるメンテナンス処理を示すフローチャート。
【発明を実施するための形態】
【００１４】
以下、本発明に係わる移動式クレーンの一実施例を添付図面を参照して詳細に説明する。
【００１５】
図１は、本発明の実施の形態における移動式クレーンを示す図である。この移動式クレーンは、作業車両の一例として、示したものである。
【００１６】
図１において示す移動式クレーン１（以下、単に「クレーン」と称する）は、走行体としての車両１０と、荷（作業対象物）を吊り上げて水平方向に回転して運搬する「クレーン作業」を行う作業装置であるクレーン装置２０とを備えている。このクレーン作業は、クレーン装置２０において行われる「所定の作業」の一例であり、クレーン装置２０は、「所定の作業」を行う作業機械、作業装置の一例である。
【００１７】
この車両１０は、クレーン装置２０を支える機体であって、内燃機関であるエンジンを動力源として車輪１１を回転して走行する。この車両１０には、クレーン作業の際に車両１０若しくはクレーンそのものを安定的に支持して転倒防止を図るアウトリガ１２が、前方２箇所および後方２箇所の全４箇所に設けられている。
【００１８】
このアウトリガ１２それぞれは、後述するコントローラ５０からの制御信号に基づき、アウトリガ油圧回路６１ｂが張出シリンダ６０ｅを駆動することにより車両１０の幅方向外側に張出可能であるとともに、油圧式のジャッキシリンダ６０ｆによって下方に伸長可能である。アウトリガ１２は、ジャッキシリンダ６０ｆを下方に伸ばして４箇所を接地させることにより車両１０を地面に対して安定的に支持する。
【００１９】
クレーン装置２０は、車両１０の前後方向略中央部に水平面上を旋回可能に設けられた旋回台２１と、旋回台２１に対して起伏可能に設けられるとともに伸縮可能に設けられたブーム２２と、ブーム２２の先端部から垂下されるワイヤロープ２３と、ワイヤロープ２３の巻き込みまたは繰り出しを行うウインチ２４と、旋回台２１の前側に設けられ、車両１０の走行およびクレーン装置２０による作業に関する操作を行うため操作台であるキャブ２５と、を備えている。
【００２０】
旋回台２１は、旋回モータ６０ａが駆動することによって車両１０に対して旋回可能であって、ブーム２２は、起伏シリンダ６０ｂによって旋回台２１から起伏することとなる。
【００２１】
ブーム２２は、後述するコントローラ５０からの制御信号に基づき、ブーム油圧回路６１ａが伸縮シリンダ６０ｃを駆動することによりその長さを伸縮することができる。このとき、伸縮シリンダ６０ｃによるブーム２２の長さの伸縮とともに、ブーム油圧回路６１ａが起伏シリンダ６０ｂを駆動することによりブーム２２を起伏させることが可能である。
【００２２】
ウインチ２４は、ブームの先端部から垂下されたワイヤロープ２３の巻き上げや繰り出しを、ウインチモータ６０ｄを回転させることによって行うことでブーム２２の先端部から垂下されたフックブロック２３ａやバケットで荷を持ち上げたり、垂下したりすることが可能である。
【００２３】
したがって、これらの作業それぞれ、または連動させた作業が「クレーン作業」と称される。
【００２４】
また、これらの旋回モータ６０ａ、起伏シリンダ６０ｂ、伸縮シリンダ６０ｃ、ウインチモータ６０ｄは、各機能を実現するために作動油（オイル）によって作動するアクチュエータ６０の一例である。このほか、図示しない様々なアクチュエータ６０が存在する。
【００２５】
図２は、本発明の実施の形態における移動式クレーンが備える装置の一例を示すブロック図である。
【００２６】
移動式クレーン１は、車両１０の走行時やクレーン装置２０による作業時に用いられる油圧供給装置３０、車両１０とその車両に対して回転するクレーン装置２０との間をつなぐロータリージョイント３３、油圧供給装置３０から供給されたオイルを用いて動作する動力装置４０、作業者の指示に基づいて動力装置４０の制御を行うコントローラ５０を有している。
【００２７】
油圧供給装置３０は、旋回モータ６０ａ、起伏シリンダ６０ｂ、伸縮シリンダ６０ｃ、ウインチモータ６０ｄ等のアクチュエータ６０における機能を実現するために作動油（オイル）を各アクチュエータ６０に供給する。
【００２８】
この油圧供給装置３０は、各アクチュエータ６０に供給（吐出）するために油圧を生じさせる油圧ポンプ３１と、油圧ポンプ３１から吐出された作動油を各アクチュエータ６０に供給するための作動油回路３２と、を備えている。
【００２９】
油圧ポンプ３１は、例えば、斜板式のアキシャルプランジャ油圧ポンプや、斜板の角度を変更可能な可変容量型の油圧ポンプによって構成され、車両１０を走行させる動力を発生させるとともに、動力を車輪１１に伝達するための動力装置４０から取出された動力によって駆動する。
【００３０】
作動油回路３２には、クレーン装置２０に設けられたアクチュエータ６０がロータリージョイント３３を介して接続されている。また、作動油回路３２には、複数のコントロールバルブ（図示せず）が設けられ、各コントロールバルブによって各アクチュエータ６０に流入する作動油の流量および流通方向が制御される。各コントロールバルブは、キャブ２５に設けられた操作レバー５１ａや操作ペダル５１ｂ等によって構成される操作入力部５１を作業者（運転者）が操作することによってその操作量に応じて作動油の流量の調整が行われる。各コントロールバルブは、ソレノイド等の切換手段を有し、コントローラ５０からの信号によって作動油の流量の調整が行われる。
【００３１】
ロータリージョイント３３は、走行体である車両１０と回転するクレーン装置２０とを接続する回転機器であって、スリップリング等のインターフェースによって車両１０と、この車両１０に対して回転するクレーン装置２０との間で各種の電気的な信号を送受信する。すなわち、クレーン装置２０から見ると、車両１０は静止体であってクレーン装置２０が回転体であると言える。
【００３２】
動力装置４０は、動力を発生させるための動力源ユニット４１と、動力源ユニット４１から出力される動力を、トルクを転換して車輪１１側に伝達するトルクコンバータ４２と、トルクコンバータ４２から出力される動力の回転速度およびトルクを変換するトランスミッション４３と、トランスミッション４３から出力される動力を車輪１１に伝達するプロペラシャフト４４と、動力源ユニット４１に対して動力源の起動（スタート）を指示するスタータ４７とを少なくとも備えている。
【００３３】
動力源ユニット４１は、動力源であるエンジン４１ａと、電動モータとして機能するとともに、エンジン４１ａの動力によって発電機として機能するオルタネータ４１ｂと、オルタネータ４１ｂで発電された電力を蓄えるとともに、オルタネータ４１ｂを電動モータとして機能させる場合に電力を供給可能なバッテリ４１ｃと、バッテリ４１ｃの出力を制御したりオルタネータ４１ｂの動作を制御したりするオルタネータ駆動制御部４１ｄと、エンジン４１ａの出力をトルクコンバータ４２に伝達および切断の切換が可能なクラッチ４１ｅと、を備えている。
【００３４】
オルタネータ４１ｂは、「発電部」とも称し、エンジン４１ａにより出力される動力によって発電してオルタネータ駆動制御部４１ｄを介してバッテリ４１ｃに蓄電する（電力を蓄える）。
【００３５】
バッテリ４１ｃは、コントローラ５０や各種の電気回路で用いる電源（電力供給元）であって、スタータ４７による指示によってコントローラ５０や電気回路に電力が供給される。
【００３６】
このバッテリ４１ｃは、エンジン４１ａの起動中で走行やクレーン作業が行われている場合にオルタネータ４１ｂによって常時、充電（蓄電）されている。すなわち、走行やクレーン作業にバッテリ４１ｃの電力を用いたとしてもオルタネータ４１ｂからの充電によって適時、バッテリ４１ｃを最適な充電容量で保つことができる。このときのバッテリ４１ｃの最適な充電容量は、例えば、「満充電状態」である。
【００３７】
バッテリ４１ｃは、リチウムイオンバッテリなどによって構成され、使用環境等による自然放電のほか、その使用状態に応じて充電されている充電容量（蓄電容量）が低下していくこととなる。例えば、規定の温度を超える高い温度で使用した場合や、満充電状態においてさらに電圧を印加させて充電を継続するような場合（トリクル充電）などにその電力が比較的速く低下することとなる。
【００３８】
オルタネータ駆動制御部４１ｄは、「電力制御部」とも称し、インバータ、昇圧コンバータ、モータ制御部、ジェネレータ制御部等を有しており、バッテリ４１ｃの出力を制御してオルタネータ４１ｂに電力を供給したり、コントローラ５０からの信号に応じてオルタネータ４１ｂの機能を発電機または電動モータに切り換えたりする。また、オルタネータ駆動制御部４１ｄには、外部電源に接続するための電源ケーブル４１ｆが接続可能に設けられており、オルタネータ４１ｂを電動モータとして機能させる場合に、電源をバッテリ４１ｃまたは外部電源に切換えることが可能である。外部電源は、例えば３相交流２００Ｖや３相交流４００Ｖ等の電源が用いられる。
【００３９】
トルクコンバータ４２の出力側には、トランスミッション４３に伝達される動力を取出し可能なＰＴＯ（パワーテイクオフ）機構４６が設けられ、ＰＴＯ機構４６を介して油圧ポンプ３１が連結可能である。ＰＴＯ機構４６は、油圧ポンプ３１に対するエンジン４１ａの出力軸およびトルクコンバータ４２の入出力軸との連結と連結の解除の切換えが可能である。
【００４０】
スタータ４７は、スタータスイッチ４７ａ（「スタータＳＷ」と図示）と、リレースイッチ４７ｂ（「リレーＳＷ」と図示）とによって構成されており、エンジン４１ａやクレーン作業に必要な機能、装置を起動させる。
【００４１】
スタータスイッチ４７ａは、車両１０の走行時、クレーン作業時等にバッテリ４１ｃとコントローラ５０とを接続するスイッチであって、リレースイッチ４７ｂは、磁性体の磁化する励磁コイル等によってバッテリ４１ｃとコントローラ５０とを接続、遮断しての電力（電源）をリレー（伝送）するスイッチである。
【００４２】
コントローラ５０は、ＣＰＵ、ＲＯＭ、ＲＡＭ、計時装置等によって構成されており、ＣＰＵが、接続された装置からの入力信号を受信すると、その入力信号に基づいてＲＯＭに記憶されたプログラムを読み出すとともに、入力信号によって検出された状態をＲＡＭに記憶したり、接続された装置に出力信号を送信したりする。このときのＣＰＵにおいて行われる処理には計時装置で計時した時間情報を用いることも可能である。
【００４３】
このコントローラ５０には、アクチュエータ６０と、各アクチュエータ６０に対応するコントロールバルブ（図示せず）と、油圧ポンプ３１と、動力源ユニット４１と、操作レバー５１ａや操作ペダル５１ｂ等の車両１０およびクレーン装置２０の操作を行うための操作入力部５１と、車両１０の走行およびクレーン装置２０の駆動等の各種設定を行うタッチパネル式のディスプレイ５２（入力装置と表示装置とを兼ね備えている）と、周囲の作業者に対してクレーン装置２０が駆動中である旨の音声による報知を行うためのスピーカ５３と、アウトリガの張り出し量（実張出量）を検出するアウトリガ張出量センサー７０ａ、ブームの姿勢を検出するブーム姿勢センサー７０ｂ、ウインチによるワイヤの張力を検出するワイヤ張力センサー７０ｃが接続されている。
【００４４】
このアウトリガ張出量センサー７０ａは、最小張出量と最大張出量との間でその張出量を検出するセンサーを示しており、例えば、アウトリガ内に設けられた複数のスイッチによってアウトリガインナの位置を検出して張出量を検出することができる。
【００４５】
ブーム姿勢センサー７０ｂは、歪検出器、起伏角度検出器、ブーム長さ検出器、旋回角度検出器等によって構成されており、これらの検出器の情報によってブームの作業姿勢を把握することができる。このときの歪検出器は、起伏シリンダに取り付けられており、ブーム全体に掛かる負荷量（負荷モーメント量）を検出することができ、起伏角度検出器は、ブームそのものに取り付けられており、起伏状態であるブームの起伏角度を検出することができる。このほか、ブーム長さ検出器は、ブームそのものに取り付けられており、ブームの伸縮量を検出することができ、旋回角度検出器は、旋回台の旋回角を検出することができる。
【００４６】
ワイヤ張力センサー７０ｃは、ブームの先端に取り付けられており、ワイヤ張力を検出することができる。
【００４７】
このほか、コントローラ５０には、アクチュエータ６０の駆動状態に関する信号が入力される。この信号が入力されると、コントローラ５０は、アクチュエータ６０の駆動状態に関する信号に基づいてコントロールバルブやディスプレイ５２に信号を出力する。また、コントローラ５０には、電源ケーブル４１ｆが接続されるオルタネータ駆動制御部４１ｄの接続部に供給される電力に関する信号が入力される。コントローラ５０は、接続部に供給される外部電源の電圧に基づいて外部電源の接続の有無を検出する。
【００４８】
以上のように構成された作業機械としての移動式クレーン１において、クレーン装置２０による作業を行う場合には、エンジン４１ａの動力、バッテリ４１ｃの電力および外部電源の電力のいずれかによって、油圧ポンプ３１を駆動させることが可能である。
【００４９】
さらに、コントローラ５０では、操作レバー５１ａ、操作ペダル５１ｂ、ディスプレイ５２、スピーカ５３の少なくとも１つから入力信号を一定時間継続して受信しておらず、結果として、アクチュエータ６０による駆動動作が一定時間行われていない、若しくは、作業者（運転者）による所定の操作が一定時間行われていないなどのエンジン４１ａを停止することを許可するエンジン停止条件（このほか、「アイドリングストップ許可条件」とも称する）が成立したか否かを判断する。このときのエンジンの停止は、一般的に「アイドリングストップ」と称される。
【００５０】
アイドリングストップによるエンジン停止は、エンジン始動／停止スイッチ（エンジンキー）の停止操作によりスタータスイッチ４７ａが無効（ＯＦＦ）な状態となってエンジン停止することとは異なり、スタータスイッチ４７ａが有効（ＯＮ）な状態でエンジンが停止することを示している。
【００５１】
すなわち、アイドリングストップによるエンジン停止は、リレースイッチ４７ｂによりバッテリ４１ｃから各電気機器へと電流がリレーされる状態にあって、各電気機器の操作、制御が可能な状態を示している。
【００５２】
さらにいえば、アイドリングストップによってエンジンが停止状態にあることから、オルタネータ駆動制御部４１ｄは、オルタネータ４１ｂからの発電によりバッテリ４１ｃに蓄電できない状態にある。その一方で、上記に示すように、バッテリ４１ｃから各電気機器へと電流がリレーされることから、バッテリ４１ｃの蓄電容量は低下していくこととなる。アイドリングストップの状態が続けば続くほど、バッテリ４１ｃの蓄電容量は減少していくこととなる。
【００５３】
これにより、バッテリ４１ｃは、アイドリングストップ状態のエンジンを回転させる（エンジン始動させる）ために必要な電力を確保できず、エンジン始動を行うことができなくなることがある。これは、移動式クレーン１が走行できないばかりか、クレーン作業が行えないことを意味するものである。
【００５４】
このため、コントローラ５０では、バッテリ４１ｃの蓄電容量の残容量を、動力源ユニット４１に設けられたテスターやセンサー等の計測装置（図示せず）を用いて計測する。そして、コントローラ５０は、バッテリ４１ｃの蓄電容量が、所定の容量以下となったことが計測装置によって計測されると、エンジン４１ａを再始動させてオルタネータ駆動制御部４１ｄによりバッテリ４１ｃの充電を開始させる。
【００５５】
このコントローラ５０は、アイドリングストップ許可条件が成立すると、クレーン作業に係る情報の管理作業（以下、「メンテナンス作業」と称する）が行われているメンテナンスモードであるか否かを判断する処理を行う。このときのメンテナンスモードは、クレーン作業における保守、点検、調整（以下、総括して「メンテナンス作業」と称する）を可能とした状態であって、クレーン作業を開始する前（クレーン作業に係る設定を行う前）、故障時、若しくは定期的に、オペレータ（サービス員を含む）がメンテナンス作業の開始操作を行うことによって移行可能なモード（メンテナンス作業状態）である。
【００５６】
このメンテナンスモードでは、ディスプレイに各センサー（例えば、アウトリガ張出量センサー、ブーム姿勢センサー、ワイヤ張力センサー等）から信号が入力され、これらの信号に基づく情報を表示（出力）された状態である。より詳細には、メンテナンスモードには、これら入力された情報に基づき、オペレータやサービス員が、クレーン作業における役割を果たすことができる正常な状態にあるかを確認し、実際にクレーン作業と同様の動作を行わせることが可能な「保守モード」のほか、この「保守モード」とは異なり、入力された各センサーからの信号に基づく情報が、実際に測定した実データと合致して正しいものであるかを確認、調整が可能な「調整モード」の２つのモード（メンテナンス作業状態）がある。
【００５７】
前者の「保守モード」では、さらに、発生した障害（エラー）に関する情報をディスプレイに表示させた状態をも含む。すなわち、この「保守モード」では、クレーン作業に関する情報を表示し、その情報に基づく対応が可能なモードである。
【００５８】
この「保守モード」では、例えば、クレーン作業を行っている際にそのクレーン作業に係る各作業装置（ブーム、アウトリガ、ジブ、シングルトップ等）からの情報が表示することができているかを確認可能である。このほか、「保守モード」では、上記に示すように、実際のクレーン作業を行い、安全性が確保するための各種安全装置が働くかを確認可能である。より具体的には、オペレータ、サービス員がクレーン作業に必要な各作業装置の作業態様を設定画面に入力することで、その作業態様でのクレーン作業において各センサーが検出する信号により作業モーメントや定格モーメントが計算されてモーメント負荷率が表示されているかを確認可能であるほか、そのモーメント負荷率が一定の値（例えば、１００％）を超えたときに所定の報知（警報ブザー、危険表示（エラーコード表示、外部表示灯点灯等））を行うことができるかを確認可能である。
【００５９】
また、「調整モード」では、コントローラ５０が各センサーから受信する信号に基づく情報（検出データ）が、実際に測定した実データと合致したものであるかの確認を可能にし、検出データと実データとに齟齬が生じる場合には検出データを実データに修正する調整処理が可能である。つまり、修正後の実データをセンサーが検出した検出データに置換するものである。
【００６０】
この調整処理として、例えば、「調整モード」においてコントローラ５０が、ブーム姿勢センサー７０ｂで検出した検出データの信号を受信し、その信号における検出データと、作業者（オペレータ）が実際に計測した実データとが異なるものである場合、センサーに誤差が生じていることからこの誤差を修正するように正しいデータに調整（設定）することが可能である。
【００６１】
図３は、メンテナンス作業を行う際に表示されるメンテナンス画面の一例であって、「調整モード」におけるメンテナンス情報を示すメンテナンス画面を表示している。図３に示す画面の例では、タブ表示によって「調整モード」と「保守モード」とを切り替え可能である。
【００６２】
図３に示す「調整モード」では、その一例として、ブームに設けられた起伏角度検出器、ブーム長さ検出器、旋回角度検出器等によって検出されたブームの「伸縮量」、「起伏角度」、「旋回角度」をそれぞれ各項目に対する検出値として示しているほか、アウトリガに設けられたアウトリガ張出量センサー７０ａによって検出されたアウトリガの「張出量」の項目に対する検出値としてしめしており、これらの各検出値を修正が必要な場合に実データをその検出に対する調整値として入力可能である。
【００６３】
図３において、各調整値それぞれが入力された状態で調整ボタンを押下すれば、その入力された調整値が検出値として置換されることを示している。もちろん、修正が必要でなければ何ら入力を行う必要はない。図３に示す例では、ブームの「伸縮量」として「２．１５ｍ」を検出したものの、実データである実長が「２．１０ｍ」であったため、矢印キーボタンを押下して、調整値を「２．１０ｍ」に設定した状態を示している。
【００６４】
この「調整モード」において調整可能な項目は、定格荷重を決定するために重要な事項をも調整可能であって、クレーン作業における作業姿勢を決定するために用いられる。この定格荷重は、アウトリガの張り出し幅や、旋回台の旋回角度、ブームの起伏角度および伸縮量等の作業条件に応じて決まり、この定格荷重の範囲でクレーン作業を行うことを推奨するものである。反対に、この定格荷重を超えた状態である、いわゆる過負荷の状態でクレーン作業が行われると、転倒等の危険が高まることを示すものである。
【００６５】
以上に示すようなメンテナンスモードが、アイドリングストップ許可条件の成立時に設定されていると判断する場合、より詳細には、「メンテナンスモード」のモード情報（若しくはフラグ情報）をＲＡＭ等で管理している状態である場合、コントローラ５０は、アイドリングストップ許可条件の成立に基づくエンジンの停止を制限（禁止）する。すなわち、エンジンの駆動を継続させてエンジン停止の前後で、図３に示すような画面に表示された情報が変更されないように制御する。
【００６６】
これに対して、アイドリングストップ許可条件が成立したときに「メンテナンスモード」にあると判断する場合（モード情報がＲＡＭで管理されているとき）、コントローラ５０は、エンジンの停止信号を動力源ユニット４１に送信する。
【００６７】
このアイドリングストップの制限方法として、例えば、コントローラ５０が動力源ユニット４１に対して送信するエンジン停止信号をカット（無効に）する方法のほか、アイドリングストップ許可条件の成立を無効にする（アイドリングストップ許可条件が成立しなかったものと変更する）方法がある。
【００６８】
図４は、本発明の実施の形態における移動式クレーンを構成するコントローラで行われるアイドリングストップ制御処理を示すフローチャートである。
【００６９】
図４において、コントローラ５０は、一定間隔の割り込み制御等により、エンジンが動作中（アイドリング中を含む）であるかを判断する（Ｓ４０１）。エンジンが動作中でない場合とは、例えば、既にアイドリングストップの状態にある場合等を示す。この判断処理（Ｓ４０１）によって、エンジンが動作中であると判断しない場合（Ｓ４０１でＮＯ）、コントローラ５０は、以降の処理は行わずアイドリングストップ制御処理を終了する。
【００７０】
この判断処理（Ｓ４０１）によって、エンジンが動作中であると判断する場合（Ｓ４０１でＹＥＳ）、コントローラ５０は、続いて、アイドリングストップ許可条件が成立したか否かを判断する（Ｓ４０２）。アイドリングストップ許可条件が成立したと判断しない場合（Ｓ４０２でＮＯ）、コントローラ５０は、以降の処理は行わずアイドリングストップ制御処理を終了する。
【００７１】
これに対して、この判断処理（Ｓ４０２）によって、アイドリングストップ許可条件が成立したと判断する場合（Ｓ４０２でＹＥＳ）、コントローラ５０は、続いて、図３に示すような画面を用いて作業者によりメンテナンス作業を行っているメンテナンスモードであるか否かを判断する（Ｓ４０３）。この判断処理では、図３に示すような画面を表示しているときにコントローラ５０（のＣＰＵ）が、「メンテナンスモード」のモード情報（若しくはフラグ情報）をＲＡＭ等で管理しており、このモード情報がＲＡＭで管理されているときに設定作業中の状態であると判断する。
【００７２】
この判断処理（Ｓ４０３）において、メンテナンスモードであると判断される場合（Ｓ４０３でＹＥＳ）、コントローラ５０は、アイドリングストップ許可条件に基づくアイドリングストップを制限（禁止）する（Ｓ４０４）。より具体的には、コントローラ５０は、アイドリングストップ許可条件の成立を取り消し、アイドリングストップ許可条件が成立していない状態とする。
【００７３】
この「アイドリングストップ許可条件の成立に基づくアイドリングストップを制限する」ということは、メンテナンスモードの「保守モード」若しくは「調整モード」のいずれかであって、エンジンの停止による状態の変更を防止できることを意味し、アイドリングストップが行われることによる、ディスプレイにおいて表示している情報の内容が変更されることはない。
【００７４】
また、メンテナンスモードであるか否かの判断処理（Ｓ４０３）において、メンテナンスモードであると判断しない場合（Ｓ４０３でＮＯ）、コントローラ５０は、動力源ユニット４１に対してエンジン４１ａを停止させる信号を送信する（Ｓ４０５）。
【００７５】
メンテナンスモードであると判断されないときとは、例えば、メンテナンスモードのモード情報（若しくはフラグ情報）がＲＡＭ等で管理されていない状態をいう。
【００７６】
図５は、本発明の実施の形態における移動式クレーンを構成するコントローラで行われるメンテナンス処理を示すフローチャートである。
【００７７】
図５において、作業者（オペレータ）の操作によってメンテナンスモードの移行操作が行われたことによって処理が開始され、メンテナンスモードへの移行操作を受け付けると、コントローラ５０は、メンテナンスモードに関する情報をＲＡＭ等に記憶して、メンテナンスモードの状態にあることを設定する（Ｓ５０１）。
【００７８】
このようにメンテナンスモードが設定されると、続いて、コントローラ５０は、図３に示すような画面において表示するメンテナンス情報を検出（取得）する（Ｓ５０２）。この検出処理（Ｓ５０２）は、各センサーによって検出した情報をコントローラ５０が取得する処理である。
【００７９】
続いて、コントローラ５０は、検出処理（Ｓ５０２）によって検出した各メンテナンス情報を含む図３に示すような画面をディスプレイにおいて一覧表示する（Ｓ５０３）。
【００８０】
この画面がディスプレイにおいては表示されている状態で、コントローラ５０は、作業者（オペレータ）によりメンテナンス操作が行われたか否かを判断する（Ｓ５０４）。このときのメンテナンス操作とは、例えば、図３に示すような「調整モード」の画面である場合、検出値に対して調整する調整値の入力、設定操作を示し、表示されたメンテナンス情報に対する操作を称する。
【００８１】
この判断処理（Ｓ５０４）において、メンテナンス操作が行われたと判断する場合（Ｓ５０４でＹＥＳ）、コントローラ５０は、検出して一覧表示されている情報（検出値）をメンテナンス操作によって入力、設定された調整値に修正する調整処理を行う（Ｓ５０５）。メンテナンス操作が行われなければ（Ｓ５０４でＮＯ）、コントローラ５０は、調整処理が行われることはない。
【００８２】
続いて、作業者（オペレータ）によってメンテナンス作業を終了する操作が行われたか否かを判断する（Ｓ５０６）。メンテナンス作業を終了する操作が行われると（Ｓ５０６でＹＥＳ）、コントローラ５０は、メンテナンスモードを解除する処理を行う（Ｓ５０７）。この解除処理（Ｓ５０７）は、メンテナンスモードを設定する処理（Ｓ５０１）において設定したメンテナンスモードを解除する処理であって、ＲＡＭ等に記憶したメンテナンスモードに関する情報を削除するものである。
【００８３】
以上に示すようなメンテナンス処理において、メンテナンスモードに設定されている場合にアイドリングストップ許可条件が成立すると、コントローラ５０では、このアイドリングストップ許可条件の成立に基づくエンジンの停止を制限することで、エンジンの停止によるメンテナンス情報の変更を防止でき、効率的にメンテナンス作業を行うことが可能となる。
【００８４】
以上に示す実施の形態は、本発明の実施の一形態であって、これらの実施例に限定することなく、その要旨を変更しない範囲内で適宜変形して実施できるものである。
【符号の説明】
【００８５】
１…移動式クレーン、１０…車両、２０…クレーン装置、２５…キャブ、３０…油圧供給装置、３１…油圧ポンプ、４０…動力装置、４１…動力源ユニット、４１ｂ…オルタネータ、４１ｄ…オルタネータ駆動制御部、４１ｆ…電源ケーブル、５０…コントローラ、５１…操作入力部、５２…ディスプレイ、５３…スピーカ、６０…アクチュエータ
【図１】
2017082734.tif 000003
【図２】
2017082734.tif 000004
【図３】
2017082734.tif 000005
【図４】
2017082734.tif 000006
【図５】
2017082734.tif 000007